(57)【特許請求の範囲】
【請求項１】
赤熱コークスを乾式消火するコークス乾式消火設備の冷却塔の上部に設けられたスローピングフリューに外気を導くための外気導入管に設けられる遮蔽装置であって、
開口部を有し、前記外気導入管に設けられる筐体と、
前記筐体内において回動可能に配置された遮蔽部材とを有し、
前記遮蔽部材は、前記外気導入管を介した前記スローピングフリューへの外気導入の際には、前記開口部から離れる方向に回動して該開口部を開放状態とし、前記コークス乾式消火設備での赤熱コークスの乾式消火中に発生した異常によって、前記冷却塔内のガスが前記スローピングフリューを介して前記外気導入管から噴出する際には、前記開口部に向かって回動して前記開口部を閉鎖状態とすることを特徴とするコークス乾式消火設備の遮蔽装置。
【請求項２】
前記筐体の開口部外面に対して、前記開口部を覆うように着脱可能に設けられ、前記冷却塔内のガスが前記スローピングフリューを介して前記外気導入管から噴出する際に、前記筐体に装着される他の遮蔽部材を有することを特徴とする請求項１に記載のコークス乾式消火設備の遮蔽装置。
【請求項３】
前記外気導入管内に移動可能に設けられ、前記冷却塔内のガスが前記スローピングフリューを介して前記外気導入管内に侵入するのを遮断するための弁を有することを特徴とする請求項１又は２に記載のコークス乾式消火設備の遮蔽装置。
【発明の詳細な説明】
【技術分野】
【０００１】
本発明は、コークス乾式消火設備に関するものであり、具体的には、コークス乾式消火設備における冷却塔のスローピングフリューに外気を導くための外気導入管に取り付けられる遮蔽装置に関するものである。
【背景技術】
【０００２】
従来のコークス乾式消火設備では、冷却塔内に供給された赤熱コークスを冷却ガスと接触させることで、赤熱コークスを冷却している。そして、赤熱コークスと接触した高温の冷却ガスはボイラに導かれ、ボイラでの熱交換によって蒸気を発生させている。この蒸気は、発電などに用いられる。
【０００３】
ここで、冷却塔には、冷却塔内のガス（具体的には、赤熱コークスの未乾留分から生じるＨ２やＣＯなどの可燃ガス）の燃焼に用いられる空気（外気）を外部から冷却塔内に導入するための外気導入管が接続されている。そして、外気導入管に設けられた調整弁によって、外気の導入量を調整するようにしている（例えば、特許文献１，２参照）。
【０００４】
また、冷却塔には、上述した外気導入管から導かれる外気量の不足を補うために、上記外気導入管（第１の外気導入管という）とは異なる外気導入管（第２の外気導入管という）が設けられている。具体的には、冷却塔の外周に、冷却塔内のスローピングフリューに連結される管体（第２の外気導入管）を設けている（例えば、特許文献３参照）。
【０００５】
ここで、コークス乾式消火設備が正常に動作している場合には、冷却塔の内部が負圧状態（冷却塔外の圧力よりも低い圧力となる状態）となっているため、冷却塔外の外気が、第１及び第２の外気導入管を介して冷却塔内に吸引される。
【特許文献１】特公昭５７−１５７８９号公報
【特許文献２】特開平１−２４０５９３号公報
【特許文献３】実開昭６０−１６７４１号公報
【発明の開示】
【発明が解決しようとする課題】
【０００６】
しかしながら、上述した従来のコークス乾式消火設備では、以下に説明する不具合が生じてしまう。
【０００７】
コークス乾式消火設備において、ボイラのボイラチューブに損傷が生じると、冷却ガスの循環経路内に多量の蒸気が漏れることがある。この場合には、発生した蒸気によって、冷却ガスの循環経路や冷却塔内の圧力が急激に増加してしまう。
【０００８】
これにより、冷却塔内の圧力状態は、負圧状態から正圧状態（冷却塔外の圧力よりも高い圧力となる状態）となり、冷却塔に設けられた外気導入管（特に、上述した第２の外気導入管）から外部（大気中）に火炎が吹き出してしまうことがある。
【０００９】
そして、火炎が吹き出すことにより、外気導入管の一端部（外気導入口）の周辺に配置された機器（例えば、計装機器、温度シース、コンセント）が破損してしまうおそれがある。また、ボイラチューブの損傷は突発的に発生するため、上記外気導入口の近傍で作業を行っている作業者に対して、火炎による被害がおよぶおそれもある。
【００１０】
ここで、上述した問題を解消するために、冷却塔に第２の外気導入管を設けずに、第１の外気導入管だけを用いて十分な量の外気（空気）を冷却塔内に導入させることも考えられる。具体的には、第１の外気導入管の径を大型化させたり、第１の外気導入管に設けられる調整弁の数を増やしたりすることができる。
【００１１】
しかし、上述した構成では、冷却塔内に外気を導入するための機構（第１の外気導入管や調整弁を含む）が大型化するとともに、コストアップとなってしまう。
【００１２】
そこで、本発明の目的は、上述した外気導入管（第２の外気導入管）を用いながらも、簡単な構成で、上述した問題を解決することができるコークス乾式消火設備を提供することにある。
【課題を解決するための手段】
【００１３】
本発明は、赤熱コークスを乾式消火するコークス乾式消火設備の冷却塔の上部に設けられたスローピングフリューに外気を導くための外気導入管に設けられる遮蔽装置であって、開口部を有し、前記外気導入管に設けられる筐体と、前記筐体内において回動可能に配置された遮蔽部材とを有し、前記遮蔽部材は、前記外気導入管を介した前記スローピングフリューへの外気導入の際には、前記開口部から離れる方向に回動して該開口部を開放状態とし、前記コークス乾式消火設備での赤熱コークスの乾式消火中に発生した異常によって、前記冷却塔内のガスが前記スローピングフリューを介して前記外気導入管から噴出する際には、前記開口部に向かって回動して前記開口部を閉鎖状態とすることを特徴とする。
【００１４】
ここで、前記筐体の開口部外面に対して、前記開口部を覆うように着脱可能に設けられ、前記冷却塔内のガスが前記スローピングフリューを介して前記外気導入管から噴出する際に、前記筐体に装着される他の遮蔽部材を用いることもできる。
【００１５】
また、前記外気導入管内に移動可能に設けられ、前記冷却塔内のガスが前記スローピングフリューを介して前記外気導入管内に侵入するのを遮断するための弁を用いることもできる。
【発明の効果】
【００１６】
冷却塔のスローピングフリュー内に外気を導くための外気導入管に、遮蔽部材を有する遮蔽装置を取り付けるだけで、冷却塔内が正圧状態となることによって外気導入管から噴出されるガス等を、遮蔽装置内で阻止することができる。すなわち、遮蔽装置外（大気中）にガス等（火炎を含む）が噴出することがなくなり、外気導入管の周辺に配置された機器が火炎等によって破損してしまうのを防止することができる。
【００１７】
しかも、本発明の遮蔽装置は、筐体に形成された開口部を遮蔽部材によって開閉させるだけの簡単な構成であるため、コストアップさせることなく、ガス等の噴出を防止することができる。
【発明を実施するための最良の形態】
【００１８】
以下、本発明の実施例について説明する。
【実施例１】
【００１９】
本実施例におけるコークス乾式消火設備の構成について、図１を用いて説明する。ここで、図１は、コークス乾式消火設備の構成を示す概略図である。
【００２０】
本実施例のコークス乾式消火設備１０は、赤熱コークスを冷却するための冷却塔１と、冷却塔１から排出された高温の冷却ガスを抜熱冷却して冷却塔１に戻すための熱回収機構２とを有している。
【００２１】
まず、冷却塔１の構成について説明する。
【００２２】
冷却塔１の上部には、炉蓋１１が設けられており、炉蓋１１を開けることにより、冷却塔１内（具体的には、後述するクーリングチャンバ１２内）に赤熱コークスが供給される。また、冷却塔１は、煉瓦で構成されており、クーリングチャンバ１２と、スローピングフリュー１３とを有している。スローピングフリュー１３には、外気（空気）をクーリングチャンバ１２内に導くための外気導入管１５が接続されている。
【００２３】
ここで、外気導入管１５は、スローピングフリュー１３に外気を導くための他の外気導入管（不図示）から導かれる空気の不足分を補うために設けられている。
【００２４】
図１では、外気導入管１５を１つだけ示しているが、実際には、冷却塔１の外周に沿って複数の外気導入管１５が配置されている。
【００２５】
冷却塔１（クーリングチャンバ１２）の下部には、赤熱コークスを冷却するための冷却ガス（例えば、窒素ガスを含む不活性ガス）をクーリングチャンバ１２内に供給するためのガス供給器１６が設けられている。ガス供給器１６から吹き出された冷却ガスは、クーリングチャンバ１２内に供給された赤熱コークスと接触（熱交換）して、赤熱コークスを冷却する。
【００２６】
冷却されたコークスは、冷却塔１の下部に設けられたコークス排出口１７から冷却塔１の外部に排出される。また、赤熱コークスとの接触によって昇温（例えば、９００度から１０００度の温度に上昇）した冷却ガスは、スローピングフリュー１３を介して熱回収機構２側に導かれる。
【００２７】
次に、熱回収機構２の構成について説明する。
【００２８】
熱回収機構２は、冷却ガスを循環させるためのダクト２１を有しており、ダクト２１の一端が、冷却塔１のスローピングフリュー１３に接続されているとともに、他端が、ガス供給器１６に接続されている。このように、冷却塔１から排出された冷却ガスは、ダクト２１を介して冷却塔１に戻るようになっている。
【００２９】
ダクト２１における冷却塔１（スローピングフリュー１３）側の領域には、冷却ガスに含まれる微粉体を除去するための除去板２１ａが設けられている。すなわち、微粉体を含む冷却ガスが除去板２１ａに突き当たると、微粉体が除去板２１ａとの衝突によって落下するとともに、冷却ガスが除去板２１ａを回避するように進む。落下した微粉体は、除去板２１ａの下方に設けられた受け部材２１ｂで回収される。
【００３０】
除去板２１ａを通過した冷却ガスは、ボイラ２２に導かれ、ボイラ２２において抜熱される。すなわち、ボイラ２２では、冷却ガスの熱エネルギを用いて蒸気を発生させており、この蒸気は、発電に用いられたり、高炉送風機のタービンを駆動するのに用いられたりする。
【００３１】
ボイラ２２を通過した冷却ガスは、ダクト２１を介してサイクロン２３に導かれ、サイクロン２３において、冷却ガスに残留する微粉体が除去される。そして、サイクロン２３を通過した冷却ガスは、ブロワ２４によって冷却塔１側（ガス供給器１４側）に送り込まれる。ここで、ブロワ２４とガス供給器１４との間におけるダクト２１には、冷却器２５が設けられており、ブロワ２４からの冷却ガスを冷却するようにしている。
【００３２】
冷却器２５からガス供給器１４に導かれた冷却ガスは、再びクーリングチャンバ１２内に供給される。
【００３３】
次に、上述した外気導入管１５の周辺の構成について、図２及び図３を用いて説明する。
【００３４】
図２に示すように、外気導入管１５は、冷却塔１の外側面に設けられた主管１５ａと、主管１５ａから分岐した分岐管１５ｂとを有している。また、外気導入管１５には、冷却塔１に設けられた開口部１ａ（スローピングフリュー１３の一部）を開閉させるための蓋ユニット１８が取り付けられている。
【００３５】
この蓋ユニット１８は、操作部材１８ａと、操作部材１８ａの一端に取り付けられた蓋部材１８ｂとを有している。蓋ユニット１８を、図２中の矢印Ｘ方向（主管１５ａの長手方向）に移動させると、蓋部材１８ｂによって、冷却塔１の開口部１ａを閉じたり、開けたりすることができる。
【００３６】
また、主管１５ａの上端には、支持部材１９が設けられており、この支持部材１９には、図３に示すように、蓋ユニット１８の操作部材１８ａを保持するための一対の保持部１９ａ，１９ｂが設けられている。すなわち、操作部材１８ａを保持部１９ａ，１９ｂに保持させておくことで、蓋ユニット１８を図２に示す状態に維持させておくことができ、冷却塔１の開口部１ａを開いた状態にさせておくことができる。
【００３７】
また、保持部１９ａ，１９ｂによる操作部材１８ａの保持を解除すると、蓋部材１８ｂの自重によって蓋ユニット１８が図２の下方に移動し、蓋部材１８ｂが開口部１ａを閉じる。
【００３８】
一方、分岐管１５ｂの先端には、外気（大気中の空気）を分岐管１５ｂ内に導くための開口部（外気導入口、不図示）が設けられており、この開口部を介して空気が分岐管１５ｂ及び主管１５ａ内に導かれるようになっている。
【００３９】
また、図２に示すように、分岐管１５ｂには、遮蔽器３０が連結されている。遮蔽器３０は、筐体３０ａと、回転軸３０ｂを介して筐体３０ａ内に連結された遮蔽板３０ｃとを有している。筐体３０ａにおける１つの側面には、複数の開口部３０ｄが形成されており、外部の空気（外気）を筐体３０ａ内に導くようになっている。
【００４０】
なお、開口部３０ｄの形状は、図２に示す形状に限るものではなく、外気を筐体３０ａ内に導くことができるものであれば、いかなる形状であってもよい。すなわち、図２では、スリット状の開口部３０ｄを一方向に並べて配置した構成としているが、例えば、開口部を網目状に構成することもできるし、略円形又は多角形の開口部をマトリクス状又はランダムに複数配置することもできる。
【００４１】
一方、遮蔽板３０ｃは、回転軸３０ｂによって図２の矢印Ａ１，Ａ２方向に回動可能となっている。また、遮蔽板３０ｃが図２に示す状態にあるときには、遮蔽板３０ｃは、筐体３０ａに形成されたすべての開口部３０ｄを覆う（塞ぐ）ようになっている。
【００４２】
上述したようにコークス乾式消火設備１０が正常に動作している場合には、スローピングフリュー１３内の圧力状態が負圧状態となっている。このため、冷却塔１の開口部１ａが開いた状態にある場合には、外部（大気中）の空気が、遮蔽器３０及び外気導入管１５を介してスローピングフリュー１３内に吸引される。
【００４３】
このとき、遮蔽板３０ｃは、上述した吸引力によって、図２に示す状態から矢印Ａ１方向（開口部３０ｄから離れる方向）に回動することになる。ここで、遮蔽部材３０ｃの回動量は、上述した吸引力に応じて変化する。
【００４４】
一方、ボイラ２２のボイラチューブの故障等によって、スローピングフリュー１３内の圧力状態が、負圧状態から正圧状態に変化すると、冷却塔１内の気体や火炎が、スローピングフリュー１３及び外気導入管１５を介して冷却塔１の外部に向かうようになる。
【００４５】
ここで、開口部３０ｄから離れた位置にある遮蔽板３０ｃは、冷却塔１外に向かう気体や火炎に押されることにより、図２の矢印Ａ２方向（開口部３０ｄに近づく方向）に回動する。これにより、遮蔽板３０ｃは、筐体３０ａの内壁面に当接して開口部３０ｄを覆うようになる。このように遮蔽板３０ｃが開口部３０ｄを塞ぐことにより、外気導入管１５を通過した火炎が、開口部３０ｄから吹き出すのを防止することができる。
【００４６】
本実施例では、上述した簡単な構成の遮蔽器３０を、外気導入管１５の分岐管１５ｂに取り付けるだけであるため、コストアップを抑制しつつ、火炎の吹き出しを防止することができる。
【００４７】
なお、本実施例では、回転軸３０ｂを筐体３０ａの上部に配置させているが、これに限るものではない。例えば、筐体３０ａの左右の側面や、下面に配置することもでき、この場合には、遮蔽板３０ｃの回動方向が異なるだけである。
【００４８】
一方、筐体３０ａのうち開口部３０ｄが形成された面の外側に、他の遮蔽板を取り付けるようにしてもよい。具体的には、図４に示すように、開口部３０ｄが形成された面に、遮蔽板３０ｃとは異なる遮蔽板４０を保持するための一対の保持部３０ｅを設けることができる。この保持部３０ｅは、断面が略Ｌ字状に形成されている。なお、図４（Ａ）及び図４（Ｂ）はそれぞれ、遮蔽器３０の正面図及び側面図である。
【００４９】
遮蔽板４０を筐体３０ａに装着する場合には、図４（Ａ）に示すように、筐体３０ａに対して遮蔽板４０を矢印Ｙ方向にスライドさせる。これにより、遮蔽板４０の両端部が、保持部３０ｅによって保持される。
【００５０】
上述したように、開口部３０ｄが形成された面に対して筐体３０ａの内側及び外側に、２つの遮蔽板３０ｃ，４０を設けることにより、開口部３０ｄにおける遮蔽効果を向上させることができる。すなわち、筐体３０ａの内側に配置された遮蔽板３０ｃによって、主に、火炎が開口部３０ｄから吹き出すのを防止することができる。また、筐体３０ａの外側に配置された遮蔽板４０によって、冷却塔１内から導かれるガスの排出を抑制することができるとともに、開口部３０ｄから漏れる火炎を阻止することができる。
【００５１】
なお、図４に示す構成では、断面が略Ｌ字状の保持部３０ｅを用いたが、これに限るものではなく、遮蔽部材４０を筐体３０ａの外側面に保持させておくことができる機構であれば、いかなるものであってもよい。例えば、遮蔽部材４０と係合して遮蔽部材４０を保持する位置と、遮蔽部材４０との係合を解除する位置との間において、保持部３０ｅを移動（回動）させるようにしてもよい。また、金属製の筐体３０ａ及び遮蔽部材４０のうち少なくとも一方に磁石を設け、磁力によって遮蔽部材４０を筐体３０ａに装着させるようにしてもよい。
【実施例２】
【００５２】
次に、本発明の実施例２であるコークス乾式消火設備について説明する。本実施例では、実施例１の構成と異なる部分についてのみ説明し、実施例１で説明した部材と同じ部材については同一符号を用いて説明する。
【００５３】
本実施例では、外気導入管１５に連結される遮蔽器の構成が、実施例１で説明した遮蔽器の構成と異なっている。以下、図５を用いて、本実施例における遮蔽器の構成について説明する。ここで、図５（Ａ）は、外気導入管１５に連結された遮蔽器の外観斜視図であり、図５（Ｂ）は、遮蔽器を図５（Ａ）の矢印Ｂ方向から見たときの図である。
【００５４】
本実施例の遮蔽器５０は、実施例１と同様に、外気導入管１５の分岐管１５ｂに連結されており、筐体５０ａと、回転軸５０ｂを介して筐体５０ａに連結された遮蔽板５０ｃとを有している。
【００５５】
筐体５０ａは、実施例１と同様に、１つの側面において開口部５０ｄを有している。本実施例では、図５（Ａ）に示すように、開口部５０ｄが形成されている面が、分岐管１５ｂの長手方向に対して傾斜している。そして、この傾斜面に沿って、すべての開口部５０ｄを覆うことが可能な遮蔽板５０ｃが配置されている。
【００５６】
本実施例において、冷却塔１内の圧力状態が負圧状態の場合には、遮蔽板５０ｃが図５（Ａ）の矢印Ｃ１方向（開口部５０ｄから離れる方向）に回動することによって、外部（大気中）の空気が、遮蔽器５０及び外気導入管１５を介して冷却塔１内に吸引される。
【００５７】
一方、ブロワ２２のブロワチューブの損傷等によって、冷却塔１内の圧力状態が負圧状態から正圧状態に変化した場合には、冷却塔１内の気体や火炎が、スローピングフリュー１３及び外気導入管１５を介して冷却塔１外に向かうようになる。このとき、遮蔽板５０ｃは、冷却塔１外に向かう気体や火炎に押されて、矢印Ｃ２方向に回動することによって、開口部５０ｄを覆う（塞ぐ）ことになる。これにより、火炎等が、開口部５０ｄを通過して遮蔽器５０外に吹き出すのを防止することができる。
【００５８】
また、本実施例では、筐体５０ａのうち開口部５０ｄが形成された面を傾斜させるとともに、この傾斜面に沿って遮蔽板５０ｃを配置するようにしているため、遮蔽板５０ｃは、自重によって開口部５０ｄが形成された面に当接するようになっている。このように、遮蔽板５０ｃは、火炎等による押し込み作用に加えて、自重作用を受けることで、開口部５０ｄを効率良く塞ぐことができる。
【００５９】
すなわち、本実施例では、冷却塔１内の圧力状態が負圧状態から正圧状態に変化する間、言い換えれば、冷却塔１内の圧力状態が正圧状態に変化する前に、自重作用を受けた遮蔽板５０ｃによって開口部５０ｄを覆っておくことができる。これにより、開口部５０ｄから火炎等が吹き出すのを効率良く防止することができる。
【００６０】
なお、本実施例では、遮蔽板５０ｃに自重作用を持たせることによって、開口部５０ｄを覆うようにしているが、これに限るものではない。例えば、遮蔽板５０ｃを開口部５０ｄ側に付勢する付勢部材（バネ）を設けるようにしてもよい。
【００６１】
また、実施例１で説明したように、筐体５０ａの外側の面に、遮蔽板５０ｃとは異なる遮蔽板を装着させることもできる。
【００６２】
さらに、上述した実施例１，２における遮蔽器３０，５０では、１つの遮蔽板３０ｃ，５０ｃを用いて開口部３０ｄ，５０ｄを覆うように構成しているが、複数の遮蔽板を用いて開口部３０ｄ，５０ｄを覆うようにしてもよい。具体的には、筐体３０ａ，５０ａの内側に、遮蔽板の数に応じた回転軸を設け、これらの回転軸を介して複数の遮蔽板を回動させることができる。
【００６３】
ここで、複数の遮蔽板を用いた場合には、各遮蔽板の大きさが上述した遮蔽板３０ｃ，５０ｃよりも小さくなるため、小型の各遮蔽板が開口部３０ｄ，５０ｄを塞ぐ方向とは反対方向に回動してしまうことも考えられる。そこで、この場合には、筐体３０ａ，５０ａ内に、小型の遮蔽板の回動量を制限するストッパを設けることができる。具体的には、筐体３０ａ，５０ａの内壁面に、ストッパとしての突出部を設け、遮光板と当接させるようにすることができる。
【００６４】
さらに、上述した実施例１，２では、外気導入管１５の分岐管１５ｂに、遮蔽器３０，５０を連結する構成としているが、分岐管１５ｂの内部に、上述した遮蔽板３０ｃ，５０ｃに相当する部材を配置するようにしてもよい。
【００６５】
具体的には、図６に示すように、分岐管１５ｂの先端に、フランジ部１５ｂ１を設けるとともに、フランジ部１５ｂ１の近傍に、回転軸１５ｂ２を介して遮蔽板６０を連結する。
【００６６】
図６に示す構成によれば、遮蔽板６０の回動によって、分岐管１５ｂの先端に形成された開口部１５ｂ３（外気導入口）を閉じたり、開けたりすることができる。
【００６７】
ここで、冷却塔１内の圧力状態が負圧状態の場合には、遮蔽板６０が開口部１５ｂ３から離れる方向に回動することによって、外部（大気中）の空気が分岐管１５ｂ及び主管１５ａを介して冷却塔１内に導かれることになる。一方、冷却塔１内の圧力状態が負圧状態から正圧状態に変化した場合には、遮蔽板６０が、冷却塔１外に向かう気体や火炎に押されることにより、フランジ部１５ｂ１に当接して、開口部１５ｂ３を覆うことになる。
【００６８】
図６に示す構成を用いても、簡単な構成で火炎等の吹き出しを防止することができる。
【００６９】
なお、図６に示す構成においては、遮蔽板６０が分岐管１５ｂ内で回動できるように分岐管１５ｂの大きさを設定する必要がある。
【図面の簡単な説明】
【００７０】
【図１】本発明のコークス乾式消火設備の構成を示す概略図である。
【図２】実施例１における外気導入管の周辺構造を示す斜視図である。
【図３】操作部材の支持構造を示す図である。
【図４】遮蔽器の外面に遮蔽板を取り付ける構成を説明するための図（Ａ，Ｂ）である。
【図５】実施例２における外気導入管の周辺構造を示す斜視図（Ａ）と、実施例２の遮蔽器の内部構造を示す図（Ｂ）である。
【図６】外気導入管における分岐管内に遮蔽板を設けた構成を示す図である。
【符号の説明】
【００７１】
１：冷却塔
１１：炉蓋
１２：クーリングチャンバ
１３：スローピングフリュー
１５：外気導入管
１６：ガス供給器
１７：コークス排出口
２：熱回収機構
２１：ダクト
２２：ボイラ
２３：サイクロン
２４：ブロワ
２５：冷却器
３０，５０：遮蔽器
３０ａ，５０ａ：筐体
３０ｂ，５０ｂ：回転軸
３０ｃ，５０ｃ：遮蔽板
３０ｄ，５０ｄ：開口部
３０ｅ：保持部
４０：遮蔽板
【図１】
0004719049.tif 000002
【図２】
0004719049.tif 000003
【図３】
0004719049.tif 000004
【図４】
0004719049.tif 000005
【図５】
0004719049.tif 000006
【図６】
0004719049.tif 000007